(57)【要約】【課題】  乗員に空間的広がりがあるように感じさせて、落ち着いた気分にさせることを課題とする。【課題を解決する手段】  車輌室内の天井部の左右側部にほぼ前後方向に沿って線状に延び天井面を照明する照明器２０を備え、上記照明器による天井面の照明範囲のうち乗員の頭上付近の照度が他の部分に比較して低い車輌用室内照明装置１。【選択図】図１
2005306233.tif 000002
【特許請求の範囲】
【請求項１】
車輌室内の天井部の左右側部にほぼ前後方向に沿って線状に延び天井面を照明する照明器を備えた車輌用室内照明装置であって、
上記照明器による天井面の照明範囲のうち乗員の頭上付近の照度が他の部分に比較して低い
ことを特徴とする車輌用室内照明装置。
【請求項２】
天井部の中央部にもほぼ前後方向に沿って線状に延びる照明器が設けられている
ことを特徴とする請求項１に記載の車輌用室内照明装置。
【請求項３】
上記照明器は複数の発光ダイオードと上記発光ダイオードの光を制御するプリズムレンズとから成る
ことを特徴とする請求項１又は請求項２に記載の車輌用室内照明装置。
【請求項４】
上記照明器は線状に延びる導光体と該導光体の端部から導光体内に光を導入する発光ダイオードとから成る
ことを特徴とする請求項１又は請求項２に記載の車輌用室内照明装置。
【発明の詳細な説明】
【技術分野】
【０００１】
本発明は新規な車輌用室内照明装置に関する。詳しくは、乗員に落ち着き感を与える技術に関する。
【背景技術】
【０００２】
車輌、例えば、自動車において、室内の雰囲気を醸し出すために、天井を間接照明することが行われている。
【０００３】
特許文献１には、かかる間接照明のための車輌用室内照明装置が示されている。
【０００４】
【特許文献１】特開２００１−１３８８０８号公報
【発明の開示】
【発明が解決しようとする課題】
【０００５】
しかしながら、上記特許文献１に示された車輌用室内照明装置にあっては、単に車輌の天井面を全体的に照明しているものであり、乗員に空間的な広がりを感じさせるようなものではなかった。
【０００６】
そこで、本発明は、乗員に空間的広がりがあるように感じさせて、落ち着いた気分にさせることを課題とする。
【課題を解決するための手段】
【０００７】
本発明車輌用室内照明装置は、上記した課題を解決するために、車輌室内の天井部の左右側部にほぼ前後方向に沿って線状に延び天井面を照明する照明器を備え、上記照明器による天井面の照明範囲のうち乗員の頭上付近の照度が他の部分に比較して低くくなるようにしたものである。
【０００８】
従って、本発明車輌用室内照明装置にあっては、乗員に落ち着き感を与えることができる。
【発明の効果】
【０００９】
本発明車輌用室内照明装置は、車輌室内の天井部の左右側部にほぼ前後方向に沿って線状に延び天井面を照明する照明器を備えた車輌用室内照明装置であって、上記照明器による天井面の照明範囲のうち乗員の頭上付近の照度が他の部分に比較して低いことを特徴とする。
【００１０】
従って、本発明車輌用室内照明装置にあっては、乗員の頭上を避けながら天井を照明することによって、乗員に天井が高いと錯覚させて、空間的な広がりがあるように感じさせ、それによって、落ち着いた気持ちにさせることができる。
【００１１】
請求項２に記載した発明にあっては、天井部の中央部にもほぼ前後方向に沿って線状に延びる照明器が設けられているので、乗員の乗車位置に応じた照明を行うことが出来る。
【００１２】
請求項３に記載した発明にあっては、上記照明器は複数の発光ダイオードと上記発光ダイオードの光を制御するプリズムレンズとから成るので、乗員の乗車位置に応じた照明を行うことが出来る。
【００１３】
請求項４に記載した発明にあっては、上記照明器は線状に延びる導光体と該導光体の端部から導光体内に光を導入する発光ダイオードとから成るので、乗員の乗車位置に応じた照明を行うことが出来る。
【発明を実施するための最良の形態】
【００１４】
以下に、本発明車輌用室内照明装置を実施するための最良の形態について添付図面を参照して説明する。
【００１５】
図１乃至図３に本発明車輌用室内照明装置の第１の実施の形態１を示す。
【００１６】
車輌用室内照明装置１は、図３及び図４に示すように、自動車１０の室内の天井の左右両側部に配置された照明器２０、２０によって構成される。
【００１７】
上記照明器２０は、図１及び図２に示すように、複数の線状に配列された発光ダイオード２１、２１、・・・と該発光ダイオード２１、２１、・・・の光を制御するプリズムレンズ２２とから成る。発光ダイオード２１、２１、・・・は帯状に形成された回路基板２３に実装され、該回路基板２３はバックカバー２４に支持される。そして、バックカバー２４の前面を覆うようにプリズムレンズ２２が取着され、これによって、照明器２０が構成される。
【００１８】
図５は照明器の別の例を示すものであり、この照明器３０は透明な導光体３１と該導光体３１の端面３１ａ、３１ａから導光体３１内に光を導入する発光ダイオード２１、２１とによって構成される。すなわち、導光体３１は透明材料から成り、前後方向に長い棒状に形成されており、該導光体３１の端面３１ａ、３１ａに対向して発光ダイオード２１、２１が配置されている。従って、発光ダイオード２１、２１の光が端面３１ａ、３１ａから導光体３１内に導入され、そして、導光体３１の後面で内面反射された光が導光体３１の前方へ照射される。なお、導光体３１内に導入された光が効率良く前方へ出射されるように、図５の引き出し部に拡大して示すように、導光体３１の後面に微細な反射手段３１ｂ、３１ｂ、・・・を形成しておいても良い。
【００１９】
そして、上記したように、天井部の左右両側部に配置した照明器２０、２０又は３０、３０によって天井面を照明する。その際、乗員の頭部近傍の照度がその他の部分の照度より低くなるように照明光を制御する。これによって、乗員は、自分の頭上が暗く、その周囲が明るいのを感じることによって、自分の頭上に空間的奥行を感じる、すなわち、天井が高いと感じることになり、その結果、広い空間にいるような雰囲気を感じ、落ち着いたイメージを作り上げることができる。
【００２０】
また、好ましくは、運転者のヘッドレスト近傍で５ルックス以下であることが好ましい。これによって、運転者を幻惑すること無しに、空間的な広がりがあるように感じさせて、落ち着いた気持ちにさせることが出来る。
【００２１】
なお、好ましくは、天井を照明する光がアンバー色やブルー色又はその両方の組合せであることが好ましい。これによって乗員をさらに落ち着いた気持ちにさせることが出来る。そして、照明光をアンバー色にする場合は、例えば、上記プリズムレンズ２２や導光体３１をアンバー色とすることによって達成することが出来る。
【００２２】
なお、前後方向に線状に延びる照明器は天井部の中央部にも設けることが出来る。例えば、天井部の左右両側部に設けられた照明器２０、２０又は３０、３０に加えて、天井部の図６に示す位置に設けられるオーバーヘッドコンソール４０の左右両側縁部に照明器２０、２０又は３０、３０を設けても良い。オーバーヘッドコンソール４０の前後両端部にはマップランプ４１、４１、・・・等が設けられるが、左右両側面部に開口部４２、４２（図７に一方のもののみ図示する）を設け、該開口部４２、４２に照明器２０、２０又は３０、３０を配置する。
【００２３】
そして、オーバーヘッドコンソール４０の左右両側部に配置された照明器２０、２０又は３０、３０と上記したように天井部の左右両側部に配置された照明器２０、２０又は３０、３０とによって、図７に等照度曲線５０で示すような照明が為される。すなわち、自動車の天井面のうちオーバーヘッドコンソール４０によって左右に２分された部分６０、６０の左右方向における中央部６１、６１の照度が最も低く（暗い）、上記部分６０、６０の左右側部６２、６２、・・・の照度が最も高く（明るい）、これら２つの部分６１、６１と６２、６２、・・・との間の部分は６３、６３、・・・は左右側部６２、６２、・・・に近い部分から中央部６１、６１に近い部分へと徐々に照度が低くなるようになっている。これによって、乗員は、自分の頭上が暗く、その周囲が明るいのを感じることによって、自分の頭上に空間的奥行を感じる、すなわち、天井が高いと感じることになり、その結果、広い空間にいるような雰囲気を感じ、落ち着いたイメージを作り上げることができる。
【００２４】
以上のように、本発明車輌用室内照明装置を適用することによって、乗員に落ち着いた雰囲気を与えることができる。
【００２５】
なお、上記した実施の形態において示した具体的な事項は、本発明を実施するに際して行う具体化のほんの一例を示したものにずぎず、これらによって、本発明の技術的範囲が限定的に解釈されることがあってはならないものである。
【産業上の利用可能性】
【００２６】
乗員に安らぎ感を与える車輌に適用して好適である。
【図面の簡単な説明】
【００２７】
【図１】図１乃至図５は本発明車輌用室内照明装置の第１の実施の形態を示すものであり、本図は照明器の概略横断面図である。
【図２】図１のＩＩ−ＩＩ線に沿う一部省略断面図である。
【図３】照明器の配置位置を示す自動車の概略平面透視図である。
【図４】照明器の配置位置を示す自動車の概略側面透視図である。
【図５】照明器の変形例を一部省略して示す概略平面図である。
【図６】図７と共に本発明車輌用室内照明装置の第２の実施の形態を示すものであり、本図は照明器の配置位置を示す自動車の概略平面透視図である。
【図７】天井面の照明状態を示す概略斜視図である。
【符号の説明】
【００２８】
１…車輌用間接照明装置、２０…照明器、２１…発光ダイオード、２２…プリズムレンズ、３０…照明器、３１…導光体、３１ａ…端面（端部）
【図１】
2005306233.tif 000003
【図２】
2005306233.tif 000004
【図３】
2005306233.tif 000005
【図４】
2005306233.tif 000006
【図５】
2005306233.tif 000007
【図６】
2005306233.tif 000008
【図７】
2005306233.tif 000009